(57)【要約】   実施形態による照明装置は、ハウジング；端子を含む光源本体；発光モジュール；及び、前記光源本体の端子と電気的に連結されるコネクタを含み、前記ハウジングと前記光源本体を物理的に連結させる電気的連結手段；を含む。
2014524651.tif 000002
【特許請求の範囲】
【請求項１】
ハウジングと、
前記ハウジングの下に配置され、端子を含む光源本体と、
前記光源本体に配置された発光モジュールと、
前記光源本体の端子と電気的に連結されるコネクタを含んで、前記ハウジングと前記光源本体を物理的に連結させるソケット部と、
を含む、照明装置。
【請求項２】
前記ハウジングは貫通孔を有し、
前記ソケット部は、前記ハウジングの上面に配置された水平部と、前記水平部に連結され前記ハウジングの貫通孔を貫通して前記光源本体に連結される垂直突出部とを含み、
前記コネクタは、前記ソケット部の垂直突出部に配置される、請求項１に記載の照明装置。
【請求項３】
前記光源本体は複数であり、
前記複数の光源本体の一側面に結合するエンドキャップを含む、請求項２に記載の照明装置。
【請求項４】
前記エンドキャップは開口部を有し、
前記開口部の数は、前記複数の光源本体の個数と対応する、請求項３に記載の照明装置。
【請求項５】
前記ソケット部は、前記ハウジングを貫通し前記エンドキャップの開口部に連結されて前記端子と電気的に連結される、請求項３に記載の照明装置。
【請求項６】
前記光源本体の端子は、突出した形状を有し、
前記ソケット部の垂直突出部は、前記端子が配置される収容溝を有し、
前記収容溝には、前記コネクタが配置される、請求項２に記載の照明装置。
【請求項７】
前記ハウジングに配置され、前記ハウジングの下部に突出して前記光源本体を固定させるクリップ部をさらに含む、請求項２に記載の照明装置。
【請求項８】
前記ハウジングは穴を有し、
前記光源本体は、前記ソケット部に対応する形状の溝を有し、
前記光源本体の端子は、前記溝の内部に配置され、
前記ソケット部は、前記ハウジングとの結合のためのフック部を含む、請求項１に記載の照明装置。
【請求項９】
前記ソケット部は、
前記光源本体に配置された係止部と、
前記係止部に垂直方向へ配置された接続部と、
を含む、請求項８に記載の照明装置。
【請求項１０】
前記ハウジング上に配置され、前記ハウジングの内側に突出して前記光源本体を固定させるクリップ部をさらに含む、請求項８に記載の照明装置。
【請求項１１】
前記ハウジングに配置された反射体をさらに含み、
前記ソケット部は、前記ハウジングの側面から延びて、収容部を有し、
前記収容部は、前記端子の形状と対応する形状を有して、前記端子が配置され、
前記コネクタは、前記収容部内に配置される、請求項１に記載の照明装置。
【請求項１２】
前記光源モジュールは、
前記光源本体に配置される第１発光モジュールと、
前記第１発光モジュールに隣接して配置される第２発光モジュールと、を含み、
前記第１発光モジュールの光効率は、前記第２発光モジュールの光効率より高い、請求項１に記載の照明装置。
【請求項１３】
前記第１発光モジュールと前記光源本体との間には、配置された放熱シートをさらに含む、請求項１２に記載の照明装置。
【請求項１４】
前記光源本体は、放熱構造物をさらに含み、
前記放熱構造物は、前記第１発光モジュール上に配置された、請求項１２に記載の照明装置。
【請求項１５】
前記光源本体は、第１放熱構造物と第２放熱構造物とを含み、
前記第１放熱構造物は前記第１発光モジュール上に配置されて、前記第２放熱構造物は前記第２発光モジュール上に配置され、
前記第１放熱構造物の配置密度は、前記第２放熱構造物の配置密度より高い、請求項１２に記載の照明装置。
【請求項１６】
ハウジングと、
前記ハウジングの下に配置された光源本体と、
前記光源本体に配置された発光モジュールと、
前記ハウジングと前記光源本体を物理的に連結させる連結手段と、
を含む、照明装置。
【請求項１７】
前記光源本体は、下部本体と前記下部本体の上に配置される上部本体を含み、
前記連結手段は結合体であり、
前記結合体は、水平部及び前記水平部の中心に垂直方向に配置されたネジ形状の垂直部を含み、
前記下部本体は、前記結合体の水平部が配置される水平溝を有し、
前記上部本体は、前記結合体の垂直部が貫通する貫通孔を有し、
前記結合体の垂直部は、前記ハウジングにネジ結合されて、前記光源本体と前記ハウジングとを結合させる、請求項１６に記載の照明装置。
【請求項１８】
前記水平部は円形であり、前記水平部の円周には鋸歯が形成されている、請求項１７に記載の照明装置。
【請求項１９】
前記結合体の水平部の一部は、前記光源本体の外部に突出する、請求項１８に記載の照明装置。
【請求項２０】
前記光源本体は、一面に挿入部材が配置され、
前記連結手段は固定箱であり、
前記固定箱は、ハウジングに配置されて、弾性体と支持部を含み、
前記挿入部材は、前記固定箱に連結されて前記固定箱の弾性体に接触し、前記支持部は前記挿入部材を支持する、請求項１６に記載の照明装置。
【請求項２１】
前記挿入部材は、前記光源本体に結合する結合部、前記固定箱に連結される接触部及び前記結合部と前記接触部を連結する連結部を含み、
前記接触部は、上部に行くほど幅が狭くなり、
前記連結部の幅は、前記接触部の最下部の幅より狭い、請求項２０に記載の照明装置。
【請求項２２】
前記弾性体は、互いに向かい合って互いに近づく方向に弾性力を有する一対の弾性体である、請求項２０に記載の照明装置。
【請求項２３】
前記支持部は、前記接触部の下部に配置されて前記挿入部材を固定させる、請求項２０に記載の照明装置。
【請求項２４】
前記光源本体は、両側面に係止突起を有し、
前記連結手段はロック装置であり、
前記ロック装置は、第１ヒンジ部及び第２ヒンジ部を有する回転部材、前記第１ヒンジ部に結合して前記ハウジングに結合する固定部材、一方は前記第２ヒンジ部に連結して他方は前記光源本体に結合する結着部材を含み、
前記ロック装置は、前記光源本体の両側面に配置される、請求項１６に記載の照明装置。
【請求項２５】
前記回転部材は、前記ハウジングに結合するフック部を含み、
前記ハウジングは、前記フック部に対応する溝を有する、請求項２４に記載の照明装置。
【請求項２６】
前記結着部材は前記係止突起に結合し、前記フック部が前記溝に挿入される、請求項２５に記載の照明装置。
【請求項２７】
前記連結手段はロック装置であり、
前記ロック装置は、前記光源本体の側面に結合する第１結合部、前記ハウジングの上面と結合する第２結合部、及び前記第１結合部と前記第２結合部とを連結する連結部を含み、
前記第２結合部は水平穴を有し、
前記ハウジングの上面は開口部を有し、
前記ハウジングは、前記開口部に配置された突出部を有し、
前記ロック装置は、前記光源本体の両側に配置される、請求項１６に記載の照明装置。
【請求項２８】
前記突出部は、水平穴に対応する形状を有して、前記水平穴に挿入される、請求項２７に記載の照明装置。
【請求項２９】
前記連結部は、前記第２結合部が前記ハウジングの上面に垂直になるように弾性力を提供する、請求項２７に記載の照明装置。
【請求項３０】
前記第１結合部は、前記光源本体の側面にネジ結合される、請求項２７に記載の照明装置。
【請求項３１】
前記連結手段は連結部材であり、
前記連結部材は、前記光源本体の側面に結合する下部部材、前記ハウジングに結合する上部部材及び前記下部部材並びに上部部材を連結する連結部を含み、
前記ハウジングは、一方向に延びた穴を有する、請求項１６に記載の照明装置。
【請求項３２】
前記上部部材は前記穴を貫通し、前記連結部に対して一定の角度に曲がり、前記光源本体が前記ハウジングと結合する、請求項３１に記載の照明装置。
【請求項３３】
前記上部部材は、上部に行くほど幅が広くなるか、幅が広くなってから一定の幅を保持するか、あるいは、幅が再び狭くなる、請求項３１に記載の照明装置。
【請求項３４】
前記ハウジングの穴の長さは、前記上部部材の最大幅以上である、請求項３１に記載の照明装置。
【請求項３５】
前記連結部材は、前記発光モジュールに電気的に連結され、
前記連結部材の上部部材は、外部電源と電気的に連結されて前記発光モジュールに外部電源を供給する、請求項３１に記載の照明装置。
【請求項３６】
ハウジングと、
前記ハウジングに脱着可能に結合する光源部と、
を含み、
前記光源部は、
発光モジュールと、
前記発光モジュールが配置された光源本体と、
前記光源本体の上に配置され、開口部を有するカバー部と、
前記光源本体と前記カバー部との間に配置され、前記光源本体に配置される第１連結部材及び第２連結部材を含む連結部材と、
前記第１連結部材及び前記第２連結部材との間に配置される弾性体と、
を含む、照明装置。
【請求項３７】
前記ハウジングと前記光源部との間に配置され、挿入溝を有する結合部材をさらに含む、請求項３６に記載の照明装置。
【請求項３８】
前記弾性体は、前記第１連結部材及び前記第２連結部材が互いに遠ざかる方向に弾性力を提供する、請求項３６に記載の照明装置。
【請求項３９】
前記ハウジングは溝を有し、
前記第１及び第２連結部材は、前記光源本体に配置される水平部及び前記水平部に垂直方向へ延びる垂直部を含み、
前記垂直部は、前記カバー部の開口部を貫通して前記ハウジングの溝又は前記結合部材の挿入溝と結合する、請求項３７に記載の照明装置。
【請求項４０】
前記光源本体は、第１光源本体及び前記第１光源本体に隣接して配置された第２光源本体を含み、
前記第１連結部材は、前記第１光源本体に配置され、
前記第２連結部材は、前記第２光源本体に配置される、請求項３６に記載の照明装置。
【請求項４１】
前記光源本体は、前記連結部材がスライディング移動可能なように配置されるためのガイド溝を有する、請求項３６に記載の照明装置。
【発明の詳細な説明】
【技術分野】
【０００１】
実施形態は、照明装置に関する。
【背景技術】
【０００２】
発光ダイオード（ＬＥＤ）は、電気エネルギーを光に変換する半導体素子の一種である。発光ダイオードは、蛍光灯及び白熱灯などの従来の光源に比べて、低消費電力、半永久的な寿命、素早い応答速度、安全性及び環境にやさしいという長所を有する。そこで、従来の光源を発光ダイオードに代替するための多くの研究が進められており、発光ダイオードは、室内外で用いられる各種ランプ、液晶表示装置、電光板及び街灯などの照明装置の光源として使用が増加する傾向にある。
【発明の概要】
【発明が解決しようとする課題】
【０００３】
実施形態は、新しい構造を有する照明装置を提供することにある。
【０００４】
実施形態は、交代及び組み立てが容易な照明装置を提供することにある。
【０００５】
実施形態は、従来のハウジングに取り付け可能であり、製造費用及び重さが減少した照明装置を提供することにある。
【０００６】
実施形態は、直接光及び間接光を同時に提供する照明装置を提供することにある。
【課題を解決するための手段】
【０００７】
実施形態による照明装置は、ハウジング；前記ハウジングの下に配置され、端子を含む光源本体；前記光源本体に配置された発光モジュール；及び、前記光源本体の端子と電気的に連結されるコネクタを含んで、前記ハウジングと前記光源本体を物理的に連結させるソケット部；を含む。
【０００８】
ここで、前記ハウジングは貫通孔を有し、前記ソケット部は、前記ハウジングの上面に配置された水平部と、前記水平部に連結され前記ハウジングの貫通孔を貫通して前記光源本体に連結される垂直突出部とを含み、前記コネクタは、前記ソケット部の垂直突出部に配置され得る。
【０００９】
ここで、前記光源本体は複数であり、前記複数の光源本体の一側面に結合するエンドキャップを含み得る。
【００１０】
ここで、前記エンドキャップは開口部を有し、前記開口部の数は、前記複数の光源本体の個数と対応し得る。
【００１１】
ここで、前記ソケット部は、前記ハウジングを貫通し前記エンドキャップの開口部に連結されて前記端子と電気的に連結され得る。
【００１２】
ここで、前記光源本体の端子は突出した形状を有し、前記ソケット部の垂直突出部は、前記端子が配置される収容溝を有し、前記収容溝には前記コネクタが配置され得る。
【００１３】
ここで、前記ハウジングに配置され、前記ハウジングの下部に突出して前記光源本体を固定させるクリップ部をさらに含み得る。
【００１４】
ここで、前記ハウジングは穴を有し、前記光源本体は前記ソケット部に対応する形状の溝を有し、前記光源本体の端子は前記溝の内部に配置され、前記ソケット部は、前記ハウジングとの結合のためのフック部を含み得る。
【００１５】
ここで、前記ソケット部は、前記光源本体に配置された係止部；及び、前記係止部に垂直方向へ配置された接続部；を含み得る。
【００１６】
ここで、前記ハウジング上に配置され、前記ハウジングの内側に突出して前記光源本体を固定させるクリップ部をさらに含み得る。
【００１７】
ここで、前記ハウジングに配置された反射体をさらに含み、前記ソケット部は前記ハウジングの側面から延びて、収容部を有し、前記収容部は前記端子の形状と対応する形状を有して、前記端子が配置され、前記コネクタは前記収容部内に配置され得る。
【００１８】
ここで、前記光源モジュールは、前記光源本体に配置される第１発光モジュール；及び、前記第１発光モジュールに隣接して配置される第２発光モジュールを含み、前記第１発光モジュールの光効率は、前記第２発光モジュールの光効率より高い。
【００１９】
ここで、前記第１発光モジュールと前記光源本体との間には、配置された放熱シートをさらに含み得る。
【００２０】
ここで、前記光源本体は放熱構造物をさらに含み、前記放熱構造物は、前記第１発光モジュール上に配置され得る。
【００２１】
ここで、前記光源本体は、第１放熱構造物と第２放熱構造物とを含み、前記第１放熱構造物は前記第１発光モジュール上に配置されて、前記第２放熱構造物は前記第２発光モジュール上に配置され、前記第１放熱構造物の配置密度は、前記第２放熱構造物の配置密度より高い。
【００２２】
実施形態による照明装置は、ハウジング；前記ハウジングの下に配置された光源本体；前記光源本体に配置された発光モジュール；及び、前記ハウジングと前記光源本体を物理的に連結させる連結手段；を含む。
【００２３】
ここで、前記光源本体は、下部本体と前記下部本体の上に配置される上部本体を含み、
前記連結手段は結合体であり、前記結合体は、水平部及び前記水平部の中心に垂直方向に配置されたネジ形状の垂直部を含み、前記下部本体は、前記結合体の水平部が配置される水平溝を有し、前記上部本体は、前記結合体の垂直部が貫通する貫通孔を有し、前記結合体の垂直部は、前記ハウジングにネジ結合されて、前記光源本体と前記ハウジングとを結合させ得る。
【００２４】
ここで、前記水平部は円形であり、前記水平部の円周には鋸歯が形成され得る。
【００２５】
ここで、前記結合体の水平部の一部は、前記光源本体の外部に突出し得る。
【００２６】
ここで、前記光源本体は一面に挿入部材が配置され、前記連結手段は固定箱であり、前記固定箱はハウジングに配置されて、弾性体と支持部を含み、前記挿入部材は前記固定箱に連結されて前記固定箱の弾性体に接触し、前記支持部は前記挿入部材を支持し得る。
【００２７】
ここで、前記挿入部材は、前記光源本体に結合する結合部、前記固定箱に連結される接触部及び前記結合部と前記接触部を連結する連結部を含み、前記接触部は上部に行くほど幅が狭くなり、前記連結部の幅は、前記接触部の最下部の幅より狭い。
【００２８】
ここで、前記弾性体は、互いに向かい合って互いに近づく方向に弾性力を有する一対の弾性体であり得る。
【００２９】
ここで、前記支持部は、前記接触部の下部に配置されて前記挿入部材を固定させ得る。
【００３０】
ここで、前記光源本体は両側面に係止突起を有し、前記連結手段はロック装置であり、前記ロック装置は、第１ヒンジ部及び第２ヒンジ部を有する回転部材、前記第１ヒンジ部に結合して前記ハウジングに結合する固定部材、一方は前記第２ヒンジ部に連結して他方は前記光源本体に結合する結着部材を含み、前記ロック装置は前記光源本体の両側面に配置され得る。
【００３１】
ここで、前記回転部材は、前記ハウジングに結合するフック部を含み、前記ハウジングは、前記フック部に対応する溝を有し得る。
【００３２】
ここで、前記結着部材は前記係止突起に結合し、前記フック部が前記溝に挿入され得る。
【００３３】
ここで、前記連結手段はロック装置であり、前記ロック装置は、前記光源本体の側面に結合する第１結合部、前記ハウジングの上面と結合する第２結合部、及び前記第１結合部と前記第２結合部とを連結する連結部を含み、前記第２結合部は水平穴を有し、前記ハウジングの上面は開口部を有し、前記ハウジングは、前記開口部に配置された突出部を有し、前記ロック装置は、前記光源本体の両側に配置され得る。
【００３４】
ここで、前記突出部は、水平穴に対応する形状を有して、前記水平穴に挿入され得る。
【００３５】
ここで、前記連結部は、前記第２結合部が前記ハウジングの上面に垂直になるように弾性力を提供し得る。
【００３６】
ここで、前記第１結合部は、前記光源本体の側面にネジ結合され得る。
【００３７】
ここで、前記連結手段は連結部材であり、前記連結部材は、前記光源本体の側面に結合する下部部材、前記ハウジングに結合する上部部材及び前記下部部材並びに上部部材を連結する連結部を含み、前記ハウジングは一方向に延びた穴を有し得る。
【００３８】
ここで、前記上部部材は前記穴を貫通し、前記連結部に対して一定の角度に曲がり、前記光源本体が前記ハウジングと結合し得る。
【００３９】
ここで、前記上部部材は、上部に行くほど幅が広くなるか、幅が広くなってから一定の幅を保持するか、あるいは、幅が再び狭くなり得る。
【００４０】
ここで、前記ハウジングの穴の長さは、前記上部部材の最大幅以上であり得る。
【００４１】
ここで、前記連結部材は、前記発光モジュールに電気的に連結され、前記連結部材の上部部材は、外部電源と電気的に連結されて前記発光モジュールに外部電源を供給し得る。
【００４２】
実施形態による照明装置は、ハウジング；及び、前記ハウジングに脱着可能に結合する光源部；を含み、前記光源部は、発光モジュール；前記発光モジュールが配置された光源本体；前記光源本体の上に配置され、開口部を有するカバー部；前記光源本体と前記カバー部との間に配置され、前記光源本体に配置される第１連結部材及び第２連結部材を含む連結部材；及び、前記第１連結部材及び前記第２連結部材との間に配置される弾性体；を含む。
【００４３】
ここで、前記ハウジングと前記光源部との間に配置され、挿入溝を有する結合部材をさらに含み得る。
【００４４】
ここで、前記弾性体は、前記第１連結部材及び前記第２連結部材が互いに遠ざかる方向に弾性力を提供し得る。
【００４５】
ここで、前記ハウジングは溝を有し、前記第１及び第２連結部材は、前記光源本体に配置される水平部及び前記水平部に垂直方向へ延びる垂直部を含み、前記垂直部は、前記カバー部の開口部を貫通して前記ハウジングの溝又は前記結合部材の挿入溝と結合し得る。
【００４６】
ここで、前記光源本体は、第１光源本体及び前記第１光源本体に隣接して配置された第２光源本体を含み、前記第１連結部材は前記第１光源本体に配置され、前記第２連結部材は前記第２光源本体に配置され得る。
【００４７】
ここで、前記光源本体は、前記連結部材がスライディング移動可能なように配置されるためのガイド溝を有し得る。
【発明の効果】
【００４８】
実施形態によると、新しい構造を有する照明装置を提供することができる。
【００４９】
実施形態によると、交代及び組み立てが容易な照明装置を提供することができる。
【００５０】
実施形態によると、従来のハウジングに取り付け可能であって製造費用及び重さが減少した照明装置を提供することができる。
【００５１】
実施形態によると、直接光及び間接光を同時に提供する照明装置を提供することができる。
【００５２】
実施形態によると、光効率が改善された照明装置を提供することができる。
【図面の簡単な説明】
【００５３】
【図１】実施形態による照明装置の斜視図である。
【図２】実施形態による照明装置の分解斜視図である。
【図３】実施形態による照明装置の断面図である。
【図４ａ】図３のハウジング、反射体及び結合部材の分解斜視図である。
【図４ｂ】図３に示された結合部材の分解斜視図である。
【図４ｃ】図３の結合部材と光源部の領域を拡大した図面である。
【図５】実施形態による光源部の斜視図である。
【図６】実施形態による光源部の斜視図である。
【図７】実施形態による光源部の分解斜視図である。
【図８ａ】実施形態による光源部の分解斜視図である。
【図８ｂ】第１反射体及び第２反射体が配置される光学カバーを示す。
【図８ｃ】第１反射体及び第２反射体が配置される光学カバーから反射する光の経路を示す。
【図９ａ】実施形態による照明装置の本体部の分解斜視図である。
【図９ｂ】実施形態による照明装置の本体部の分解断面図である。
【図９ｃ】実施形態による複数の本体の断面図である。
【図１０】実施形態による照明装置の連結部材、本体部の分解斜視図である。
【図１１】一変形例による照明装置の断面図である。
【図１２】一変形例による照明装置の分解斜視図である。
【図１３】他の変形例による照明装置の断面図である。
【図１４】他の変形例による照明装置の分解斜視図である。
【図１５】他の実施形態による照明装置の電気的連結方式を示す分解斜視図である。
【図１６】他の実施形態による照明装置のハウジングと光源本体が結合した場合を示す側面図である。
【図１７】一実施形態によるソケット部が外部電源と連結する方式の一例を示す。
【図１８】さらに他の実施形態による照明装置の電気的連結方式を示す分解斜視図である。
【図１９】さらに他の実施形態による照明装置のソケット部と光源本体が結合した場合を示す斜視図である。
【図２０】さらに他の実施形態による照明装置の電気的連結方式を示す分解斜視図である。
【図２１】さらに他の実施形態による照明装置のハウジングと光源本体が結合した場合を示す斜視図である。
【図２２ａ】さらに他の実施形態の照明装置の分解断面図である。
【図２２ｂ】光源本体の端子が収容されるソケット部の収容部を示す。
【図２２ｃ】さらに他の実施形態による光源本体を詳しく示す。
【図２３】さらに他の実施形態による照明装置の光源本体の分解斜視図である。
【図２４】さらに他の実施形態による照明装置のハウジングと光源部が結合する前の斜視図である。
【図２５】さらに他の実施形態による照明装置の機構的連結方式を示す。
【図２６】さらに他の実施形態による照明装置のハウジングと光源本体が結合した場合を示す斜視図である。
【図２７】さらに他の実施形態による照明装置の機構的連結方式を示す斜視図である。
【図２８】さらに他の実施形態による照明装置のハウジングと光源本体が結合した場合を示す斜視図である。
【図２９ａ】さらに他の実施形態による照明装置の機構的連結方式を示す分解斜視図である。
【図２９ｂ】さらに他の実施形態による照明装置のハウジングと光源本体が結合した場合を示す斜視図である。
【図３０】ハウジングと光源本体を結合させるロック装置を示す。
【図３１】さらに他の実施形態による照明装置の機構的連結方式を示す分解斜視図である。
【図３２】さらに他の実施形態による照明装置のハウジングと光源本体を結合させるソケット部を示す。
【図３３】さらに他の実施形態による光源部を示す分解斜視図である。
【図３４】さらに他の実施形態による光源部の断面図である。
【図３５】さらに他の実施形態による照明装置を示す分解斜視図である。
【図３６】さらに他の実施形態による光源本体がハウジングに結合する過程を示す。
【図３７】結合前及び結合後の連結部材の形態を詳しく示す。
【図３８】二つの光源本体をハウジングの内側上面に配置された場合の熱の集中度を示す。
【図３９】中央部に放熱フィンが配置された光源本体を示す。
【発明を実施するための形態】
【００５４】
以下、本発明の実施形態に対し、添付した図面を参照して詳しく説明することにする。ただし、添付された図面は、本発明の内容をより容易く開示するために説明されるだけで、本発明の範囲が添付された図面の範囲に限定される訳ではないことは、この技術分野の通常の知識を有する者であれば容易に分かるはずである。
【００５５】
また、各構成要素の上又は下に対する基準は、図面を基準として説明する。図面において各層の厚さや大きさは、説明の便宜及び明確性のために誇張されるか、省略されるか、又は概略的に示された。また、各構成要素の大きさは、実際の大きさを全体的に反映するものではない。
【００５６】
本発明による実施形態の説明において、いずれか一つのエレメント（ｅｌｅｍｅｎｔ）が他のエレメントの「上又は下（ｏｎ ｏｒ ｕｎｄｅｒ）」に形成されるものと記載される場合において、上又は下（ｏｎ ｏｒ ｕｎｄｅｒ）は、二つのエレメントが互いに直接（ｄｉｒｅｃｔｌｙ）接触するか、又は一つ以上の別のエレメントが前記二つのエレメントの間に配置されて（ｉｎｄｉｒｅｃｔｌｙ）形成されることを全て含む。また、「上又は下（ｏｎ ｏｒ ｕｎｄｅｒ）」と表現される場合、一つのエレメントを基準として上側方向だけではなく下側方向の意味も含まれる。
【００５７】
［実施形態］
図１は、実施形態による照明装置１の斜視図である。図２は、実施形態による照明装置１の分解斜視図である。図３は、実施形態による照明装置１の断面図である。図４ａは、図３のハウジング、反射体及び結合部材の分解斜視図である。図４ｂは、図３に示された結合部材の分解斜視図である。図４ｃは、図３の結合部材と光源部の領域を拡大した図面である。
【００５８】
図１ないし図４ｃを参照すると、実施形態による照明装置１は、ハウジング１００、結合部材１１０、反射体２００、光源部３００及び電源駆動部４００を含む。
【００５９】
１．ハウジング１００及び結合部材１１０
ハウジング１００は、結合部材１１０及び反射体２００を収容できる箱（ｂｏｘ）の形態で形成されたものであり得る。ハウジング１００の形状は、外部からながめた際に四角形であり得るが、これに限定される訳ではなく、多様な形状を有し得る。
【００６０】
ハウジング１００は、熱を効果的に放出できる物質で形成されたものであり得る。例えば、ハウジング１００は、アルミニウム（Ａｌ）、錫（Ｓｎ）、ニッケル（Ｎｉ）、銀（Ａｇ）、銅（Ｃｕ）、チタニウム（Ｔｉ）、モリブデン（Ｍｏ）、タングステン（Ｗ）、金（Ａｕ）、白金（Ｐｔ）などの金属で形成されたものであり得る。
【００６１】
ハウジング１００の側面及び／又は上面には、電源駆動部４００を外部の電源と電気的に連結するための穴１０７が形成され得る。光源部３００の電気的供給を制御・調整できるように外部の電源と電気的に連結される電源駆動部４００は、ハウジング１００の側面及び／又は上面に配置することができる。
【００６２】
ハウジング１００は、光源部３００から放出される光が反射体２００によって反射して出射されるように開口部１０１を有する。
【００６３】
一方、照明装置１を天井や壁面などの外部支持部材に設置する場合、外部支持部材に照明装置１の形状に対応する挿入部を形成し、挿入部に照明装置１を挿入して固定させることになる。
【００６４】
結合部材１１０は、ハウジング１００の内側の上面に結合され得る。結合部材１１０は、多様な方法でハウジング１００に結合され得る。例えば、結合部材１１０は、結合ネジ、接着剤などによってハウジング１００に結合され得る。
【００６５】
結合部材１１０は、ハウジング１００の上面に第１方向に長く延びるように形成されたものであり得る。例えば、結合部材１１０は、ハウジング１００の一内側壁面から向かい側の内側壁面まで延びるように形成され得る。
【００６６】
反射体２００は、ハウジング１００の内側に配置され、ハウジング１００の側面部に結着する第１側２１０と結合部材１１０の側面部に結着する第２側２２０とを有する。
【００６７】
結合部材１１０の外側壁面には第１溝１１１が形成され得る。第１溝１１１は、第１方向に長く延びるように形成されたものであり得る。第１溝１１１には、反射体２００の第２側２２０が挿入され得る。
【００６８】
ハウジング１００と結合部材１１０は、反射体２００が脱着できるように形成され得る。
【００６９】
ハウジング１００の内側壁面には、反射体２００の第１側２１０を挿入することができる第２溝１０３が形成され得る。第２溝１０３は一つで形成されてもよく、複数個で形成されてもよい。
【００７０】
反射体２００の第１側２１０がハウジング１００の第２溝１０３に挿入され、反射体の第２側２２０が結合部材１１０の第１溝１１１に挿入されることによって、ハウジング１００と結合部材１１０は反射体２００を固定及び支持することができる。
【００７１】
また、結合部材１１０は、光源部３００が脱着できるように形成され得る。
【００７２】
結合部材１１０の中間部分には、挿入溝１１２が形成され得る。挿入溝１１２には光源部３００の一部が挿入され得る。挿入溝１１２は、第１方向に長く延びるように形成されたものであり得る。
【００７３】
挿入溝１１２の内側壁面には、第３溝１１３が形成され得る。第３溝１１３には、光源部３００の連結部材３４０が挿入され得る。これにより、第３溝１１３は光源部３００を結合部材１１０に堅固に結合させることができる。光源部３００及び結合部材１１０との結合関係に対するより詳しい説明は、後述することにする。
【００７４】
挿入溝１１２の内部の中間部分には、第１連結端子１２０が形成され得る。光源部３００が挿入溝１１２に挿入される場合、第１連結端子１２０は、光源部３００の第２連結端子３３０と結合して電気的に連結され得る。第１連結端子１２０と第２連結端子３３０が連結される場合、第１連結端子１２０と第２連結端子３３０を介して電源及び／又は駆動信号を光源部３００に伝達することができる。
【００７５】
第１連結端子１２０は照明装置１の設計に応じて、一つ又は複数個で形成され得る。第１連結端子１２０に対するより詳しい説明は、第２連結端子３３０に対する詳しい説明と共に後述することにする。
【００７６】
また、結合部材１１０は、光源部３００で発生した熱を直接放出したり、ハウジング１００に伝達する役割をすることができる。
【００７７】
結合部材１１０は、熱を効果的に放出及び／又は伝達できる物質で形成されたものが好ましい。例えば、結合部材１１０は、アルミニウム（Ａｌ）、錫（Ｓｎ）、ニッケル（Ｎｉ）、銀（Ａｇ）、銅（Ｃｕ）、チタニウム（Ｔｉ）、モリブデン（Ｍｏ）、タングステン（Ｗ）、金（Ａｕ）、白金（Ｐｔ）などの金属で形成されたものであり得る。
【００７８】
２．反射体２００
反射体２００は、第１反射体２００ａと第２反射体２００ｂを含み得る。第１反射体２００ａと第２反射体２００ｂは、ハウジング１００及び結合部材１１０との結合及び分離が可能である。
【００７９】
例えば、第２反射体２００ｂがハウジング１００及び結合部材１１０に結合する場合、図２に示されたように、第２反射体２００ｂの第２側２２０が結合部材１１０の第１溝１１１に挿入され、第１側２１０がハウジング１００の第２溝１０３に挿入されることによって結合し得る。
【００８０】
反射体２００の第２側２２０は、段差を有するように形成され得る。反射体２００の第１側２１０も段差を有するように形成され得る。また、第１側２１０には一つ以上の挿入端が形成され得る。反射体２００の第１側２１０には、第２溝１０３に挿入され得る少なくとも一つの挿入端が形成され得る。第２溝１０３は、挿入端の形状に対応するように形成されたものであり得る。
【００８１】
第１反射体２００ａと第２反射体２００ｂは放物線形態の面を有し、第１方向に延びるように形成されたものであり得る。これにより、第１反射体２００ａと第２反射体２００ｂは、二つの放物面を有するパラボラ（ｐａｒａｂｏｌａ）形態を成し得る。ただし、反射体２００の形態は、所望する照明に応じて多様に変形され得る。
【００８２】
反射体２００は、反射効率が高い金属材質又は樹脂材質で形成されたものであり得る。例えば、樹脂材質は、ＰＥＴ、ＰＣ、ＰＶＣレジンの何れか一つを含み得る。また、金属材質は、銀（Ａｇ）、銀（Ａｇ）を含む合金、アルミニウム（Ａｌ）及びアルミニウム（Ａｌ）を含む合金のうち少なくとも一つを含み得る。
【００８３】
反射体２００の上面は、銀（Ａｇ）、アルミニウム（Ａｌ）、白色のＰＳＲ（ｐｈｏｔｏ ｓｏｌｄｅｒ ｒｅｓｉｓｔ）インク、拡散シートなどでコーティングがなされたり、アノダイジング（ａｎｏｄｉｚｉｎｇ）処理による酸化膜が形成され得る。
【００８４】
ただし、反射体２００の材質及び色相に対して限定はせず、これは、照明装置１を具現しようとする照明に応じて多様に選択することができる。
【００８５】
３．電源駆動部４００
電源駆動部４００は、光源部３００と連結される場合、電源及び駆動信号のうち少なくとも一つを提供することができる。
【００８６】
図２及び図３に示されたように、電源駆動部４００は、ハウジング１００の内部面と放物線形態の反射体２００との間に提供される空間上に設置され得る。すなわち、反射体２００の放物線形態によって反射体２００とハウジング１００の角部分の間には空のスペースが形成されるが、この空のスペース上に電源駆動部４００を設置することができる。
【００８７】
電源駆動部４００は、外部から入力されるＡＣ電源をＤＣ電源に変換して出力することができる。
【００８８】
電源駆動部４００は、光源部３００とワイヤー又は軟性印刷回路基板（ＦＰＣＢ）などによって電気的に連結され得る。例えば、ワイヤー又はＦＰＣＢは、電源駆動部４００から延びて、結合部材１１０に形成された連結穴を介して第１連結端子１２０に電気的に連結され、第１連結端子１２０は、第２連結端子３３０に電気的に連結されることによって、電源駆動部４００と光源部３００が電気的に連結され得る。
【００８９】
４．光源部３００
照明装置１は光源部３００を含む。光源部３００は、図１に示されたように、ハウジング１００の内側中央に配置され得る。また、光源部３００は、結合部材１１０に脱着可能に結合され得る。
【００９０】
図５及び図６は、実施形態による光源部３００の斜視図である。図７及び図８ａは、実施形態による光源部３００の分解斜視図である。図９ａは、実施形態による照明装置の本体部の分解斜視図である。図９ｂは、実施形態による照明装置の本体部の分解断面図である。図９ｃは、実施形態による照明装置の複数の本体の断面図である。図１０は、実施形態による照明装置の連結部材、本体部の分解斜視図である。
【００９１】
図５ないし図１０を参照すると、実施形態による光源部３００は、第１本体３１０ａ、第２本体３１０ｂ、第１発光モジュール３２０ａ、第２発光モジュール３２０ｂ、第２連結端子３３０、連結部材３４０、保護カバー３６０、及び光学カバー３８０を含む。
【００９２】
第１本体３１０ａと第２本体３１０ｂは同一の形状を有し、光源部３００の本体部をなす。光源部３００は、第１方向、すなわち、反射体２００の長手方向に沿って延びるように形成されたものであり得る。
【００９３】
１）第１本体３１０ａ及び第２本体３１０ｂ
光源部３００は、第１発光モジュール３２０ａ及び第２発光モジュール３２０ｂが配置され得る第１本体３１０ａ及び第２本体３１０ｂを含み、第１本体３１０ａ及び第２本体３１０ｂは、本体部又は光源本体と称することができる。
【００９４】
第１本体３１０ａ及び第２本体３１０ｂは、図７ないし図９に示されたような形状であり得る。第１本体３１０ａ及び第２本体３１０ｂは同一の形状を有するので、以下では第１本体３１０ａを基準として形状を説明する。
【００９５】
図９ａに示されたように、第１本体３１０ａは、一面３１から他面３２まで第１軸３３に沿って延びる直線形態のビーム形態であり得る。第１軸は、照明装置１の照明面に平行した直線のうちの一つで、任意に選択され得る。
【００９６】
図９ｂは、図９ａの第１本体３１０ａを第１軸に垂直な平面で切った断面図である。第１本体３１０ａの断面は、両側側面の上部から外側方向に突出した第１突出部３１１、両側側面の下部から外側方向に突出した第２突出部３１４、下面の両端から下方向に突出した下面突出部３１７を有し得る。
【００９７】
このような断面図によると、下面突出部３１７は、第１本体３１０ａの下面の両端で第１軸に平行するように配置される。また、下面突出部３１７の間には、第１発光モジュール３２０ａが配置されるために平らな安着面３１３が配置され得る。
【００９８】
図９ｂに示されたように、第１本体３１０ａは左右対称の形状を有することができ、これにより、第１本体３１０ａと同じ部材は左右の区分なしに使用することができる。第１本体３１０ａの左側面と右側面は、光学カバー３８０が引っ掛けられるように第２突出部３１４を有し得る。
【００９９】
光学カバー３８０が第１本体３１０ａにより安定的に結合されるために、第２突出部３１４は、外側方向に行くほど第１本体３１０ａの上面と近づくように傾くことができる。
【０１００】
また、第１本体３１０ａの左側面と右側面は、第１突出部３１１と第２突出部３１４との間に側面溝３１２を有し得る。第１本体３１０ａと第２本体３１０ｂが、側面が互いに向かい合うように並んで配置された時、側面溝３１２は、第１発光モジュール３２０ａ及び第２発光モジュール３２０ｂから連結されて出てくるワイヤーが通過する電気的連結通路として機能する。
【０１０１】
図９ｃは、複数の本体の側面が互いに向かい合うように配置された場合の断面を示す。図９ｃに示されたように、複数の本体の間には、第１突出部３１１及び第２突出部３１４によりワイヤー通路３１９が形成され得る。
【０１０２】
外部電源からの電源供給を受けるため、第１発光モジュール３２０ａ及び第２発光モジュール３２０ｂから連結されるワイヤーは、ワイヤー通路３１９の中に配置され、第２連結端子３３０に連結され得る。
【０１０３】
本体部の上面に配置される第１突出部３１１は、ワイヤーが、第１本体３１０ａ及び第２本体３１０ｂの上面に配置される第２連結端子３３０に連結されるように出てくることができる通路を確保するため、第２突出部３１４より短く形成され得る。
【０１０４】
第１突出部３１１が第２突出部３１４より短く突出することによって、第１本体３１０ａと第２本体３１０ｂが並んで配置され、第１本体３１０ａと第２本体３１０ｂとの間の第２突出部３１４が互いに接触する時にも、第１本体３１０ａと第２本体３１０ｂとの間の第１突出部３１１は互いに接触せず、所定の距離をおいて離れていることになる。
【０１０５】
第１本体３１０ａの下面は、第１発光モジュール３２０ａが安着することができる安着面３１３を有する。安着面３１３には、基板を設置することができ、基板上には複数の発光ダイオードが設置され、基板によって複数の発光ダイオードが電源供給に連結され得る。
【０１０６】
複数の発光ダイオードは、例えば、赤色、緑色、青色又は白色の光を放出する赤色、緑色、青色又は白色発光ダイオードの中から多様な組み合わせを有するように選択され得る。また、複数の発光ダイオードは、アレイ（Ａｒｒａｙ）形態で配置され得る。
【０１０７】
また、複数の発光ダイオード上には光学構造物が配置され、複数の発光ダイオードから放出される光の配光及び色感を調節する一方、必要に応じて多様な輝度及び色感を有する感性照明を具現することができる。
【０１０８】
第１本体３１０ａの安着面３１３は、所定間隔で離隔した複数のタップ穴３１８を有し、第１発光モジュール３２０ａも第１本体３１０ａの安着面３１３のタップ穴３１８の位置に対応してネジ穴を有する。また、タップ穴３１８の少なくとも一部には、スクリュー結合のためのネジ山が形成され得る。
【０１０９】
これにより、ネジが第１発光モジュール３２０ａのネジ穴を通過して第１本体３１０ａのタップ穴３１８に結合されて、第１発光モジュール３２０ａを第１本体３１０ａの安着面３１３に固定することができる。
【０１１０】
また、第１本体３１０ａの下面の両端には内向きの係止突起３１５が配置され、係止突起３１５に保護カバー３６０の側面が挟まれることによって、保護カバー３６０が第１本体３１０ａに固定されるようにする。
【０１１１】
第１本体３１０ａは放熱体としても機能し、第１本体３１０ａの下面は、第１発光モジュール３２０ａから発生する熱の伝達を受ける接触面になる。
【０１１２】
第１本体３１０ａの上面は、第１本体３１０ａの一端から他端まで連結された連結溝３１６を有する。連結溝３１６の上部は、連結部材３４０が挟まれて連結するように連結部材３４０の連結部３４２と対応する形態で形成され得る。また、連結溝３１６の下部はネジ山を有するようにして、第１本体３１０ａがネジ等を介してハウジング１００に直接連結され得るようにする。
【０１１３】
第１本体３１０ａの上面の連結溝３１６は、第１本体３１０ａの一端から他端までつながるように形成され、第１本体３１０ａの重さ及び製作コストを減らし、必要に応じて連結部材３４０が第１本体３１０ａに取り付けられる位置を自由に選択することができ、第１本体３１０ａがハウジング１００にネジ等を介して直接結合される場合にも、ネジ結合の位置が自由に選択され得るようにする。
【０１１４】
反面、第１本体３１０ａの下面には、上述したように、溝が連続してつながらないタップ穴３１８が形成されるが、これは、第１本体３１０ａが放熱体として効率的に機能するように、第１発光モジュール３２０ａとの接触面積を増やすためである。
【０１１５】
したがって、第１本体３１０ａの下面には、互いに離隔した複数のタップ穴３１８を形成し、第１本体３１０ａの上面には、第１本体３１０ａの一端から他端までつながる連結溝３１６を形成することができる。
【０１１６】
第１本体３１０ａの上面は、連結溝３１６に直接連結される第１面３０と、第１面３０から第１本体３１０ａの外側方向に延びる第２面３５を有し得る。
【０１１７】
第１本体３１０ａの下面から上面までの距離を高さとする場合、第１面３０は連結溝に近づくほど高さが低くなり、第２面３５は高さが一定であるように水平に配置され得る。
【０１１８】
第１本体３１０ａの上面が水平な場合には、第１本体３１０ａが連結溝３１６を介してハウジング１００の内側上面にネジ結合される場合、連結溝３１６がある部分のみがハウジング１００の内側上面に緊密に接触し、上面の外側部分はハウジング１００の内側上面と緊密に接触できないこともある。
【０１１９】
しかし、第１本体３１０ａの上面の第１面３０は、連結溝３１６に近づくほど高さが低くなり、第２面３５は高さが一定であるように水平に配置される場合、ネジを締めるにつれて連結溝３１６が配置される第１面３０がハウジング１００の内側上面に緊密に接触しながら、上面の外側部分である第２面３５もハウジング１００の内側上面に緊密に接触するようになる。これにより、ハウジング１００と第１本体３１０ａの接触面積がより大きくなって熱伝導などに有利な効果を得ることができる。
【０１２０】
上述した光源部では、複数の光源本体が配置される場合を説明したが、ハウジング又は結合部材に結合する光源本体は、一つの場合もあり得る。
【０１２１】
また、光源本体は、反射体に向かって傾斜した傾斜面を有し得て、傾斜面に発光モジュールが配置されてもよい。この場合、反射体に反射した間接光が照明装置を通じて放出される。
【０１２２】
２）連結部材３４０及び結合キャップ３５０
連結部材３４０は、第１本体３１０ａ及び第２本体３１０ｂの上面の連結溝３１６に配置され、結合部材１１０の第３溝１１３に引っ掛かり固定されることによって、光源部３００を結合部材１１０に結着させる機能をする。
【０１２３】
連結部材３４０は、第１本体３１０ａ及び第２本体３１０ｂの連結溝３１６に結着するように、連結溝３１６の上部と対応する形状を有する連結部３４２を有し、結合部材１１０の第３溝１１３に引っ掛かり固定されるように結合突起３４４を有する。
【０１２４】
連結部材３４０は、第１本体３１０ａ及び第２本体３１０ｂの連結溝３１６の上部に挟まれてスライディング移動して結合され得る。第１本体３１０ａ及び第２本体３１０ｂの連結溝３１６はまっすぐに連結されているので、連結部材３４０は連結溝３１６に挟まれた状態でスライディング移動して第１本体３１０ａ及び第２本体３１０ｂの上面の所望の位置に配置され得る。
【０１２５】
また、連結部材３４０の垂直面の間には、スプリング３７０が配置され得る。例えば、スプリング３７０は、図７及び図８ａに示されているように、開いた「Ｖ」字形又は「Ｕ」字型であり、連結部材３４０の垂直面と、第１本体３１０ａ及び第２本体３１０ｂの上面に接触するように配置され得る。
【０１２６】
スプリング３７０は、連結部材３４０の垂直面に弾性力を提供することによって、光源部３００を結合部材１１０の挿入溝１１２に堅固に結合させることができる。スプリング３７０は、連結部材３４０の垂直面の間の間隔が遠のく方向に、連結部材３４０の垂直面に弾性力を提供することができる。
【０１２７】
すなわち、スプリング３７０は、連結部材３４０の垂直面を押しやる役割をする。したがって、光源部３００を結合部材１１０に挿入する場合、第１本体３１０ａと第２本体３１０ｂの上面に結合した連結部材３４０は、スプリング３７０により加えられる力によって、結合部材１１０の第３溝１１３に堅固に結合され得る。
【０１２８】
複数の発光ダイオードから発生した熱は、光源部３００の本体によって放出されたり、第１本体３１０ａ及び第２本体３１０ｂと結合部材１１０を連結する連結部材３４０を介して結合部材１１０に伝達され放出され得る。よって、第１本体３１０ａ及び第２本体３１０ｂは、熱を効果的に放出できる材質で形成されたものが好ましい。
【０１２９】
例えば、アルミニウム（Ａｌ）、錫（Ｓｎ）、ニッケル（Ｎｉ）、銀（Ａｇ）、銅（Ｃｕ）、チタニウム（Ｔｉ）、モリブデン（Ｍｏ）、タングステン（Ｗ）、金（Ａｕ）、白金（Ｐｔ）などの金属で形成されたものであり得る。また、光源部３００の本体の一部分には凹凸が形成され、熱を効果的に放出することができる。
【０１３０】
第１本体３１０ａ及び第２本体３１０ｂは、結合キャップ３５０がその一端に結合されることによって、互いに結合することができる。
【０１３１】
図９に示されたように、第１本体３１０ａ及び第２本体の一側面には、第１溝３６１が形成され得る。
【０１３２】
図７及び８ａを参照すると、結合キャップ３５０には第１溝３６１に対応する位置に配置される貫通孔３５５が形成され得る。ネジが結合キャップ３５０の貫通孔３５５を通過して第１溝３６１に結合することによって、結合キャップ３５０は第１本体３１０ａと第２本体３１０ｂの少なくとも一側面に固定され、第１本体３１０ａと第２本体３１０ｂを互いに結合させることができる。
【０１３３】
３）第１連結端子１２０及び第２連結端子３３０
図４ｂ及び図４ｃに示されたように、結合部材１１０の中央部分には、光源部３００との電気的連結のための第１連結端子１２０が配置され得る。第１連結端子１２０は、ワイヤーなどを介して電源駆動部４００と電気的に連結され得る。
【０１３４】
また、図７及び図８ａに示されたように、光源部３００への電気的供給のために第２連結端子３３０が第１本体３１０ａ及び第２本体３１０ｂ上に配置され得る。
【０１３５】
第１発光モジュール３２０ａに連結されたワイヤーと第２発光モジュール３２０ｂに連結されたワイヤーは、第１本体３１０ａと第２本体３１０ｂとの間の空間を通過し、第１本体３１０ａと第２本体３１０ｂの上面中央に配置された第２連結端子３３０に連結され得る。
【０１３６】
このように、第１本体３１０ａの側面溝３１２と第２本体３１０ｂの側面溝３１２がなす空間は、ワイヤーを配置することができる空間を提供することによって、電気的連結のためのワイヤーの配置を容易にする。
【０１３７】
光源部３００が結合部材１１０に挿入される場合、第２連結端子３３０は、結合部材１１０の挿入溝１１２の空間に形成された第１連結端子１２０と結合して、光源部３００は電気的に連結され得る。
【０１３８】
これにより、電源駆動部４００は、第１連結端子１２０及び第２連結端子３３０を介して電源及び／又は駆動信号を光源部３００に提供することができる。
【０１３９】
第１連結端子１２０及び第２連結端子３３０はＤ−Ｓｕｂコネクタであってもよく、第１連結端子１２０がピンを有すれば第２連結端子３３０は穴を有して、第１連結端子１２０が穴を有すれば第２連結端子３３０はピンを有するようにして、第１連結端子１２０及び第２連結端子３３０を電気的及び物理的に連結することができる。
【０１４０】
４）光学カバー３８０
光学カバー３８０は、第１本体３１０ａ及び第２本体３１０ｂからなる本体部の側面に結合し、第１本体３１０ａ及び第２本体３１０ｂの下部に配置されて、光学部材として機能することができる。
【０１４１】
光学カバー３８０は、第１本体３１０ａと第２本体３１０ｂの下面に配置された第１発光モジュール３２０ａ及び第２発光モジュール３２０ｂの光が放出される方向に向かう第１面３８３と、本体部と第１面３８３を結合させて反射体２００に向かう第２面３８６とからなり得る。
【０１４２】
第１発光モジュール３２０ａ及び第２発光モジュール３２０ｂから放出される光の一部は、光学カバー３８０の第１面３８３で反射して第２面３８６を通過することができる。第２面３８６を通過した光は反射体２００によって反射し、ハウジング１００の下部に放出されることになる。
【０１４３】
すなわち、第１発光モジュール３２０ａ及び第２発光モジュール３２０ｂから放出される光は、光学カバー３８０の第１面３８３を透過して直接光として照明領域を照らすと同時に、光学カバー３８０の第１面３８３及び反射体２００からの反射を通じて照明領域に間接光を照らすことができる。このように、照明装置１は、直接光を提供しながら同時に間接光も提供することができる。
【０１４４】
図８ｂは、第１反射体及び第２反射体が配置される光学カバーを示す。
【０１４５】
光学カバー３８０の第１面３８３には、反射部材が配置され得る。反射部材は、下面の中央部に配置される第１反射体３８５を含み得る。また、反射部材は下面の側面部に配置される第２反射体３８７を含み得る。
【０１４６】
図８ｂに示されたように、第１反射体３８５は光が光学カバー３８０の外側上部方向に反射され得るように三角形の形状を有し得る。
【０１４７】
図８ｃは、第１反射体及び第２反射体が配置される光学カバーで反射する光の経路を示す。
【０１４８】
図８ｃにおいて、大部分の光が透過する第２面３８６は図示を省略した。光源本体から放出された光は、光学カバー３８０の第１面３８３で一部は反射し、一部は透過して外部に放出される。
【０１４９】
光源本体から放出された光のうち一部は、第１面３８３に配置された第１反射体３８５及び第２反射体３８７により反射した後、反射体２００ａ，２００ｂによって再び反射して外部に照射され得る。
【０１５０】
光源カバー３８０の第１面にこのような第１反射体３８５及び／又は第２反射体３８７が配置されることによって、反射体２００ａ，２００ｂによって反射する光の量を増やして間接光の比率を増加させることができる。
【０１５１】
一方、保護カバー３６０が本体部と光学カバー３８０との間に配置され得る。保護カバー３６０は、光源部３００内に流入し得る湿気などから第１発光モジュール３２０ａ及び第２発光モジュール３２０ｂを保護することができる。
【０１５２】
保護カバー３６０も光学部材として機能することができ、第１発光モジュール３２０ａ及び第２発光モジュール３２０ｂから放出される光が均等に分散するようにする機能を行うことができる。
【０１５３】
保護カバー３６０及び／又は光学カバー３８０は、レンズ、拡散シート（ｄｉｆｆｕｓｉｏｎ ｓｈｅｅｔ）及び光励起フィルム（Ｐｈｏｓｐｈｏｒ Ｌｕｍｉｎｅｓｃｅｔ Ｆｉｌｍ、ＰＬＦ）のうち少なくとも一つを含み得る。レンズは照明装置の設計に応じて、凹レンズ、凸レンズ、集光レンズなど多様な形状を有するレンズを含み得る。
【０１５４】
拡散シートは、複数の発光ダイオード３１２から放出された光を均等に拡散させることができる。
【０１５５】
光励起フィルム（ＰＬＦ）は、蛍光体を含むフィルムであり得る。光励起フィルム（ＰＬＦ）に含まれた蛍光体は、第１発光モジュール３２０ａ及び第２発光モジュール３２０ｂから放出される光によって励起されるので、照明装置は、第１発光モジュール３２０ａ及び第２発光モジュール３２０ｂから放出される第１光と蛍光体によって励起された第２光が混色されて多様な色感を有する感性照明を具現することができる。
【０１５６】
例えば、第１発光モジュール３２０ａ及び第２発光モジュール３２０ｂが青色光を発光し、光励起フィルム（ＰＬＦ）が青色光によって励起される黄色蛍光体を含む場合、照明装置は青色光及び黄色光が混色されて白色光を発光することができる。
【０１５７】
保護カバー３６０及び／又は光学カバー３８０は、使用者の必要に応じて、レンズ、拡散シート、光励起フィルムの何れか一つに容易に交代して使用することができる。
【０１５８】
５．光源部３００及び結合部材１１０の脱着
１）結合過程
光源部３００は、結合部材１１０と脱着可能なように結合され得る。
【０１５９】
まず、光源部３００の第１本体３１０ａ及び第２本体３１０ｂ上に配置された連結部材３４０に第１の力Ｆを加えて連結部材３４０の間の幅が狭くなるようにする。この時、第１の力Ｆはスプリング３７０によって加えられる弾性力の方向と反対方向であり得る。
【０１６０】
第１の力Ｆを加えない場合、連結部材３４０はスプリング３７０から提供される弾性力によって開いている状態になるので、光源部３００を結合部材１１０の挿入溝１１２に挿入するのが難しい。
【０１６１】
連結部材３４０に第１の力Ｆを加えながら、光源部３００を結合部材１１０の挿入溝１１２に挿入する。結合部材１１０が挿入溝１１２内に挿入された後、第１の力Ｆを加えなくなれば、弾性力によって連結部材３４０の間隔が再び遠のくことになり、光源部３００上端の連結部材３４０の結合突起３４４は、挿入溝１１２の内側面に形成された第３溝１１３に挿入され得る。これにより、光源部３００が結合部材１１０に結合され得る。
【０１６２】
また、光源部３００が結合部材１１０に結合した後、連結部材３４０の間に配置されたスプリング３７０が、第１本体３１０ａ及び第２本体３１０ｂを互いに押しやるので、連結部材３４０は第３溝１１３にさらに堅固に結合され得る。
【０１６３】
また、スプリング３７０によって、連結部材３４０と挿入溝１１２との間の接触面に均一な圧力が持続的に加えられることになる。これにより、光源部３００から発生する熱は、連結部材３４０と結合部材１１０の接触面を介してより効率的に伝導され得る。
【０１６４】
２）分離過程
光源部３００のメンテナンスが必要な場合、光源部３００は結合部材１１０から分離することができる。
【０１６５】
結合部材１１０から光源部３００を分離する場合、連結部材３４０に第１の力Ｆを加えて連結部材３４０の間の幅が小さくなるようにした後に、光源部３００を結合部材１１０から分離する。
【０１６６】
［変形例］
図１１は、一変形例による照明装置２の断面図であり、図１２は、一変形例による照明装置２の分解斜視図である。
【０１６７】
一変形例による照明装置２の説明において、先に説明したことと重複する内容は省略することにする。
【０１６８】
図１１及び図１２を参照すると、照明装置２は、ハウジング５００、ハウジングに結合する本体部７００、ハウジング５００と本体部７００との間に配置される反射体６００及び本体部７００の下部に結合する保護カバー７３０及び光学カバー７４０を含み得る。
【０１６９】
ハウジング５００の内面は反射物質で塗布され、反射体６００が配置される代わりにハウジング５００の内面が反射体６００の機能を行うことができる。
【０１７０】
照明装置２のハウジング５００の内側上面には、クリップ５１０が配置される。クリップ５１０は多様な方法でハウジング５００に結合され得る。例えば、クリップ５１０は、結合ネジ、接着剤などによってハウジング５００に結合され得る。
【０１７１】
クリップ５１０は、本体部７００が挿入され得る開口部を有し、両側面には反射体６００の一側が結合され得るように延長突起を有する。本体部７００は、クリップ５１０の開口部に挿入されてクリップ５１０に挟まれることによって、ハウジング５００に結合する。
【０１７２】
一変形例の本体部７００は、実施形態の第１本体３１０ａ又は第２本体３１０ｂと同一の形状を有し得る。
【０１７３】
本体部７００の下面には発光モジュール７１０が配置され、本体部の側面には保護キャップ７２０が結合され得る。本体部７００の下部には保護カバー７３０及び光学カバー７４０が配置され得る。
【０１７４】
図１１及び１２では、クリップ５１０が一列に配列されており、本体部７００が一つの場合が示されたが、クリップ５１０が複数の列で配列され、本体部７００が複数個である場合も具現することができる。
【０１７５】
発光モジュール７１０から放出される光の一部は、光学カバー７４０の下面７４３により直接光として照射され、他の一部は光学カバー７４０の下面７４３で反射し、光学カバー７４０の側面７４６を通過する。光学カバー７４０の側面７４６を通過した光は、反射体６００によって反射され間接光として照射される。
【０１７６】
図１３は、他の変形例による照明装置３の断面図であり、図１４は、他の変形例による照明装置３の分解斜視図である。
【０１７７】
図１３及び図１４を参照すると、照明装置３のハウジング８００の内側上面には、上面穴８１０が配置される。
【０１７８】
他の変形例の本体部１０００のそれぞれの光源本体ユニットは、実施形態の第１本体３１０ａ又は第２本体３１０ｂと同一の形状を有し得る。図１３及び１４において、本体部１０００は、二つの光源本体ユニットが連結されてなるが、光源本体ユニットの数はこれに制限されず、多数の光源本体ユニットを連結することができる。
【０１７９】
本体部１０００の上面には、本体部１０００の一端から他端までつながる連結溝１０１６が配置され、垂直溝１０１６の下部にはネジ山が形成され得る。
【０１８０】
本体部１０００の上面は、ハウジング８００の上面穴８１０に対応するようにハウジング８００の内側上面に配置され、ネジがハウジング８００の上面穴８１０を貫通して本体部１０００の垂直溝１０１６に結合することによって、本体部１０００をハウジング８００の内側上面に固定することができる。
【０１８１】
ネジ結合を介した本体部１０００とハウジング８００の結合は、本体部１０００がハウジング８００に緊密に結合されるようにして、本体部１０００からの熱を放出させるための伝導率をより高めることができる。
【０１８２】
本体部１０００の下面には発光モジュール１０１０が配置され、本体部の側面には保護キャップ１０２０が結合され得る。本体部１０００の下部には、保護カバー１０３０及び光学カバー１０４０を配置することができる。
【０１８３】
光学カバー１０４０は、発光モジュール１０１０の光が放出される方向に向かう下面１０４３とハウジング８００の内面に向かう側面１０４６を含み得る。
【０１８４】
発光モジュール１０１０から放出される光の一部は、光学カバー１０４０の下面１０４３によって直接光として照射され、他の一部は光学カバー１０４０の下面１０４３で反射し、光学カバー１０４０の側面１０４６を通過する。光学カバー１０４０の側面１０４６を通過した光は反射体９００によって反射し、間接光として照射される。
【０１８５】
［結合方式の例］
以下では、上述した照明装置の電気的連結及び機構的連結方式の多様な例を示す。
【０１８６】
後述する照明装置は、上述した照明装置のように、電源駆動部、光学カバー、保護カバー、結合部材などの構成要素を含み得るが、電気的連結及び機構的連結方式に関連しない事項に対しては重複した説明を省略することにする。
【０１８７】
図１５は、他の実施形態による照明装置の電気的連結方式を示す分解斜視図である。図１６は、他の実施形態による照明装置のハウジングと光源本体が結合した場合を示す側面図である。
【０１８８】
図１５を参照すると、他の実施形態による照明装置は、ハウジング１１００、ハウジング１１００の内側上面に結合する光源本体１３００、光源本体１３００の少なくとも一側面を覆うエンドキャップ１３５０及びハウジング１１００の外側上面に配置されて光源本体１３００に連結されるソケット部１４００を含み得る。
【０１８９】
以下の図面でハウジング１１００は、側面部は省略され、光源本体１３００と結合するハウジング１１００の上面だけが示されたものであり得る。
【０１９０】
光源本体１３００の一面には発光モジュール１３１０が配置され、光源本体の少なくとも一側面には発光モジュール１３１０と電気的に連結する端子１３２０が配置され得る。
【０１９１】
光源本体１３００の一側面を覆うエンドキャップ１３５０は、上面に開口部１３５５を有するように形成され、ソケット部１４００は、図１６に示されるように、ハウジング１１００を貫通してエンドキャップ１３５０の開口部１３５５を介して挿入され、端子１３２０に接触する。
【０１９２】
これを通じてソケット部１４００は、発光モジュール１３１０と電気的に連結する端子１３２０と電気的に連結され得る。
【０１９３】
一方、光源本体１３００は、ソケット部１４００を介して外部電源と電気的に連結され、ハウジング１１００の内側上面には、図１５及び１６で示されたように、ハウジング１１００の外側上面に配置され、ハウジング１１００の内側に突出して光源本体１３００をつかむ固定クリップ１１５０を通じて固定され得る。
【０１９４】
図１７は、一実施形態によるソケット部が外部電源と連結される方式の一例である。
【０１９５】
ソケット部１４００は、ハウジング１１００の外側上面に配置される水平部１４１０及び水平部１４１０に垂直に配置される垂直突出部１４２０を有し得る。
【０１９６】
ソケット部１４００の垂直突出部１４２０の一面にはコネクタ１４５０が配置され、垂直突出部１４２０の内部には、外部のコネクタ１４５０と連結した導電性部材が配置され得る。
【０１９７】
図１７に示されたように、垂直突出部１４２０の内部の導電性部材は、挿入ピン１４８０などを介して外部電源と連結され得る。
【０１９８】
ハウジング１１００は、上面に貫通孔１１１０を有し得る。ソケット部１４００の水平部１４１０は、図１６に示されたように、ハウジング１１００の外側上面に配置され、ソケット部１４００の垂直突出部１４２０は貫通孔１１１０を通過してハウジング１１００の下部に突出され得る。
【０１９９】
垂直突出部１４２０の一面にはコネクタ１４５０が配置され、エンドキャップ１３５０の開口部１３５５を介して挿入された垂直突出部１４２０のコネクタ１４５０は、発光モジュール１３１０と電気的に連結された端子１３２０と接触され得る。
【０２００】
図１５及び１６で示されたように、ハウジング１１００に結合する光源本体１３００は複数であってもよく、それぞれの光源本体１３００は一面に発光モジュール１３１０を有し、一側面に発光モジュール１３１０に連結される端子１３２０を有する。
【０２０１】
ソケット部１４００の垂直突出部１４２０の数は、複数の光源本体１３００の数と一致し、複数の光源本体１３００を結合するように配置されるエンドキャップ１３５０の上面には、光源本体１３００の数と一致する開口部１３５５が配置され得る。
【０２０２】
図１８は、さらに他の実施形態による照明装置の電気的連結方式を示す分解斜視図である。図１９は、さらに他の実施形態による照明装置のソケット部と光源本体が結合した場合を示す斜視図である。
【０２０３】
図１８を参照すると、さらに他の実施形態による照明装置は、ハウジング２１００、ハウジング２１００の内側上面に結合する光源本体２３００、ハウジング２１００及び光源本体２３００に結合するソケット部２４００を含み得る。
【０２０４】
光源本体２３００の少なくとも一側面には、ソケット部２４００を収納する収納溝２３５０が配置され、収納溝２３５０の一面には、発光モジュール２３１０と電気的に連結する導電性端子２３２０が配置され得る。
【０２０５】
ソケット部２４００には、収納溝２３５０に収納された場合、端子２３２０と接触する部分にコネクタ２４５０が配置され、ソケット部２４００の上面にはハウジング２１００と結合するためのフック部２４２０が配置され得る。ハウジング２１００の上面には、上面穴２１１０が配置され、フック部２４２０はハウジング２１００の上面穴２１１０を介して挿入され得る。
【０２０６】
また、図示されなかったが、光源本体２３００は、図１５及び１６でのように、固定クリップなどの手段によってハウジング２１００の内側上面に機構的に結合され得る。
【０２０７】
図１８に示されたソケット部２４００のように、他の実施形態による照明装置のソケット部２４００のコネクタ２４５０は、内部の導電性部材に連結することができ、導電性部材はフック部２４２０を介して外部の電源供給部と電気的に連結され得る。
【０２０８】
図１８に示されたように、導電性端子２３２０は、収納溝２３５０の底面に配置することができ、ソケット部２４００のコネクタ２４５０はソケット部２４００の下面に配置され、ソケット部２４００が収納溝２３５０に挿入された場合、コネクタ２４５０は導電性端子２３２０に接触され得る。
【０２０９】
また、導電性端子２３２０は収納溝２３５０の側面に配置することができ、ソケット部２４００のコネクタ２４５０は、ソケット部２４００の側面に配置され得る。
【０２１０】
光源本体２３００の一面に配置される発光モジュール２３１０は、基板２３１１と基板２３１１の一面の上に配置される発光素子２３１５、基板２３１１の他面の上に配置される導電性端子２３２０を含み得る。
【０２１１】
光源本体２３００の下面には発光モジュール２３１０を配置することができ、光源本体２３００の収納溝２３５０の底面は開口が形成され得る。開口を介して基板２３１１の他面に配置された端子２３２０が露出し、ソケット部２４００が収納溝２３５０に挿入される場合、ソケット部２４００の下面のコネクタ２４５０は端子２３２０に接触され得る。
【０２１２】
図２０は、さらに他の実施形態による照明装置の電気的連結方式を示す分解斜視図である。図２１は、さらに他の実施形態による照明装置のハウジングと光源本体が結合した場合を示す斜視図である。
【０２１３】
図２０を参照すると、さらに他の実施形態による照明装置は、ハウジング３１００、ハウジング３１００の内側上面に結合する光源本体３３００、ハウジング３１００の外側上面に配置されて光源本体３３００に結合するソケット部３４００を含み得る。
【０２１４】
図２０に示されたように、光源本体３３００の少なくとも一側面には突出する端子３３４０が配置され、ソケット部３４００は、このような端子３３４０を収容する収容溝３４２０を有し、収容溝３４２０に収容される端子３３４０と電気的に連結され得る。
【０２１５】
収容溝３４２０にはコネクタ３４３０が配置され、突出した端子３３４０が収容溝３４２０に収容される時にコネクタ３４３０は端子３３４０と接触され得る。
【０２１６】
光源本体３３００の少なくとも一面には発光モジュール（図示せず）が配置され、端子３３４０は、発光モジュールと電気的に連結され得る。
【０２１７】
ソケット部３４００は、ハウジング３１００の外側上面に配置される水平部３４１０及び水平部３４１０に垂直に配置される垂直突出部３４５０を有し得る。
【０２１８】
ハウジング３１００の上面には貫通孔３１１０が配置され、ソケット部３４００の垂直突出部３４５０は、ハウジング３１００の貫通孔３１１０を通過してハウジング３１００の下部に突出され得る。
【０２１９】
図２２ａは、さらに他の実施形態の照明装置の分解斜視図である。図２２ｃは、さらに他の実施形態による光源本体を詳しく示す。
【０２２０】
図２２ａに示されたように、ハウジング４１００の内側には反射体４２００を配置することができ、光源本体４３００は、反射体４２００に向かって傾斜した傾斜面を有し得る。
【０２２１】
傾斜面には発光モジュール４３１０が配置され、発光モジュール４３１０は、反射体４２００に向かって光を照射することができる。反射体４２００に照射された光は均等に反射して照明装置の下方に放出され得る。
【０２２２】
ソケット部４４００は、図２２ａに示されたように、ハウジング４１００の側面から延びて配置され得る。これにより、ソケット部４４００に連結される光源本体４３００は、ハウジング４１００から離隔して配置され得る。
【０２２３】
ソケット部４４００は、光源本体４３００の側面から突出した端子４３５０を支えるように配置される収容部４４２０を有し、収容部４４２０の内部には、コネクタ４４３０が配置されて端子４３５０と電気的に連結され得る。
【０２２４】
図２２ｂは、光源本体の端子が収容されるソケット部の収容部を示す。
【０２２５】
図２２ｂに示されたように、収容部４４２０は、図２２ｃに示された光源本体４３００の端子４３５０の形状に対応する形状を有し、端子４３５０が挿入されるようにする。
【０２２６】
図２２ｂ及び図２２ｃのような構成のソケット部４４００と光源本体４３００の端子４３５０を介して、図２２ａに示されたように、光源本体４３００はハウジング４１００から離隔して配置され得る。
【０２２７】
これにより、光源本体４３００の上面部とハウジング４１００との間に空気が流通され得る空間が生じて、このような空間で光源本体４３００から発生する熱をより多く放出することができる。
【０２２８】
図２３は、さらに他の実施形態による照明装置の光源部⇒光源本体の分解斜視図である。図２４は、さらに他の実施形態による照明装置のハウジングと光源部が結合する前の斜視図である。
【０２２９】
図２３及び２４を参照すると、さらに他の実施形態による照明装置は、ハウジング５１００、ハウジング５１００の内側上面に結合する光源本体５３００、水平部５４１０及び水平部５４１０の中心に垂直に配置されるネジ形状の垂直部５４２０を含む結合体５４００を含み得る。
【０２３０】
結合体５４００は、結合体５４００の水平部５４１０が光源本体５３００の上面を貫通するように光源本体５３００の内部空間に配置され、垂直部５４２０は、ハウジング５１００の内側上面にネジ結合されて、光源本体５３００の上面とハウジング５１００の内側上面を結合させることができる。
【０２３１】
光源本体５３００は、下部本体５３３０及び下部本体５３３０の上面を覆う上部本体５３７０を含み得る。下部本体５３３０には、結合体５４００の水平部５４１０が配置される水平溝５３５０が配置され、上部本体５３７０には下部本体５３３０に配置される結合体５４００の垂直部５４２０が貫通する貫通孔５３７５が配置され得る。
【０２３２】
垂直部５４２０は、ハウジング５１００の内側上面にネジ結合されて、光源本体５３００の上面とハウジング５１００の内側上面を結合させることができる。
【０２３３】
結合体の水平部５４１０は円形であり、水平部５４１０の円周には鋸歯が形成され、水平部５４１０の一部は光源本体５３００の外部に突出され得る。
【０２３４】
これにより、使用者は、鋸歯が形成された結合体の円周部を回して、結合体５４００がハウジング５１００の上面にネジ結合されるようにすることができる。
【０２３５】
一方、図２３及び２４には、光源本体５３００の両側に結合体５４００が配置される場合を示したが、結合体は、光源本体中央の空間に一つずつ配置されてもよい。
【０２３６】
図２５は、さらに他の実施形態による照明装置の機構的連結方式を示す。図２６は、さらに他の実施形態による照明装置のハウジングと光源本体が結合した場合を示す斜視図である。
【０２３７】
図２５を参照すると、さらに他の実施形態による照明装置は、ハウジング６１００、ハウジング６１００の内側上面に結合する光源本体６３００、ハウジング６１００の外側上面に配置される固定箱６４００を含み得る。
【０２３８】
光源本体６３００の上面には挿入部材６３５０が配置され、光源本体６３００をハウジング６１００の内側上面に結合する場合、挿入部材６３５０は固定箱６４００に挿入されて固定箱６４００の内部に固定され得る。固定箱６４００はＰＣ（ポリカーボネート）材質からなり、挿入部材６３５０の材質はステンレススチールであり得る。
【０２３９】
光源本体６３００の上に配置される挿入部材６３５０は、光源本体６３００に結合される結合部６３５１、固定箱６４００に挿入される接触部６３５３及び結合部６３５１と接触部６３５３を連結する連結部６３５５からなり得る。
【０２４０】
接触部６３５３は、図２５に示されたように、上部に行くほど幅が狭くなる形態であり、連結部６３５５の幅は接触部６３５３の最下部の幅より狭いように設定され得る。
【０２４１】
固定箱６４００の内部には、互いに向かい合う一対の弾性体６４１０が含まれ、弾性体６４１０は互いに近づく方向に弾性力を有し得る。また、弾性体６４１０の下端には、支持部６４３０が配置され得る。支持部６４３０は、図２５に示されたように、円形であってもよく、挿入部材６３５０を安定的に掴むために摩擦力の大きいゴムが使用され得る。
【０２４２】
このような構成によれば、挿入部材６３５０が固定箱６４００に挿入された時、挿入部材６３５０の接触部６３５３は前記弾性体６４１０の間に配置されて弾性体６４１０に接触することができ、支持部６４３０は接触部６３５３の下部に配置されて挿入部材６３５０を固定させることができる。
【０２４３】
挿入部材６３５０は導電性物質であり、光源本体６３００に配置された発光モジュール６３２０と電気的に連結され得る。また、固定箱６４００の内部の弾性体６４１０も導電性物質であって、一種のコネクタとして動作し得る。コネクタは外部電源に連結されて外部からの電源供給を発光モジュール６３２０に伝達することができる。
【０２４４】
図２７は、さらに他の実施形態による照明装置の機構的連結方式を示す斜視図である。図２８は、さらに他の実施形態による照明装置のハウジングと光源本体が結合した場合を示す斜視図である。
【０２４５】
図２７を参照すると、さらに他の実施形態による照明装置は、ハウジング７１００、ハウジング７１００の内側上面に結合する光源本体７３００、ハウジング７１００と光源本体７３００を結合させるロック装置７４００を含み得る。
【０２４６】
ロック装置７４００は、二つのヒンジ部、第１ヒンジ部及び第２ヒンジ部を含む回転部材７４３０、第１ヒンジ部に結合してハウジング７１００の上面に結合する固定部材７４４０、一側が第２ヒンジ部に結合し、他方は光源本体７３００に結合する結着部材７４５０を含み得る。
【０２４７】
また、このようなロック装置７４００は光源本体７３００の両側面に配置され、光源本体７３００の側面に結合しながら光源本体７３００がハウジング７１００の内側上面に結合するようにできる。
【０２４８】
光源本体７３００を安定的にハウジング７１００の内側上面に結合させるためには、ロック装置７４００が光源本体７３００の両側面のハウジング７１００の内側上面に配置され得る。より安定した結合のために、図２７に示されたように、４方向の位置にロック装置７４００を配置することができ、ロック装置７４００の数はこれに制限されない。
【０２４９】
図２７に示されたように、回転部材７４３０はハウジング７１００の内側上面に結合することができるフック部７４３５を含み、ハウジング７１００は、フック部７４３５に対応する位置にフック部７４３５を結合することができる溝を有し得る。
【０２５０】
光源本体７３００の両側面には係止突起７３２０が配置され、結着部材７４５０は係止突起７３２０に結合され得る。
【０２５１】
光源本体７３００がハウジング７１００に結合される順序は、次のとおりである。光源本体７３００がハウジング７１００の内側上面に配置されると、結着部材７４５０を光源本体７３００の係止突起７３２０に結合させる。回転部材７４３０を外側方向に回転させてハウジング７１００の上面にフック部７４３５を結合させると、結着部材７４５０が固定されて光源本体７３００はハウジング７１００の内側上面に固定される。
【０２５２】
図２９ａは、さらに他の実施形態による照明装置の機構的連結方式を示す分解斜視図である。図２９ｂは、さらに他の実施形態による照明装置のハウジングと光源本体が結合した場合を示す斜視図である。図３０は、ハウジングと光源本体を結合させるロック装置を示す。
【０２５３】
図２９ａを参照すると、さらに他の実施形態による照明装置は、ハウジング８１００、ハウジング８１００の内側上面に結合する光源本体８３００、ハウジング８１００と光源本体８３００を結合させるロック装置８４００を含み得る。
【０２５４】
ロック装置８４００は、光源本体８３００の側面に結合する第１結合部８４１０、ハウジング８１００の上面に結合する第２結合部８４２０、及び第１結合部８４１０と第２結合部８４２０を連結する連結部８４３０を含み得る。第１結合部８４１０は、光源本体８３００の側面にネジ結合され得る。
【０２５５】
第２結合部８４２０は一面に水平穴８４４０を有し、ハウジング８１００の上面は開口部８１１０を有し、ハウジング８１００は、開口部８１００の内側に突出した突出部８１１５を有する。突出部８１１５は水平穴８４４０に対応する形状に突出し、光源本体８３００がハウジング８１００の内側上面に結合する際に水平穴８４４０に挿入される。
【０２５６】
光源本体８３００とハウジング８１００の安定した連結のために、ロック装置８４００は光源本体８３００の両側に配置され得る。ロック装置８４００の数は、これに制限されないことは勿論である。
【０２５７】
連結部８４３０は弾性を有し、ハウジング８１００に結合する第２結合部８４２０がハウジング８１００の上面に垂直な方向へ立てられるように弾性力を提供することができる。
【０２５８】
図３１は、さらに他の実施形態による照明装置の機構的連結方式を示す分解斜視図である。図３２は、さらに他の実施形態による照明装置のハウジングと光源本体を結合させるソケット部を示す。
【０２５９】
図３１を参照すると、さらに他の実施形態による照明装置は、ハウジング８６００、ハウジング８６００の内側上面に結合する光源本体８７００、ハウジング８６００と光源本体８７００を結合させるソケット部８８００を含み得る。
【０２６０】
ソケット部８８００は、光源本体８７００と水平に配置される係止部８８１０及び係止部８８１０に垂直に配置される接続部８８２０を含み、接続部８８２０の一面にはコネクタ８８３０が配置され得る。
【０２６１】
光源本体８７００の少なくとも一側面には、ソケット部８８００に対応する形状の溝が配置され、溝にはソケット部８８００のコネクタ８８３０に対応する位置に端子８７１０が配置され得る。光源本体８７００の少なくとも一面には発光モジュール８７２０が配置され、発光モジュール８７２０は端子８７１０と電気的に連結され得る。
【０２６２】
ソケット部８８００の接続部８８２０の上面には、ハウジング８６００の上面に結合するフック部８８４０が配置され得る。ハウジング８６００の上面には、フック部８８４０に対応する位置にフック部８８４０が貫通結合する形状を有する穴が配置され得る。
【０２６３】
接続部８８２０の内部には、コネクタ８８３０と電気的に連結される導電性物質が配置され、フック部８８４０を介して外部電源に電気的に連結され得る。このような構成を通じて外部電源が発光モジュール８７２０に供給され得る。
【０２６４】
図３３は、さらに他の実施形態による光源部を示す分解斜視図である。図３４は、さらに他の実施形態による光源部の断面図である。
【０２６５】
図３３及び３４の光源部９０００は、図４ａないし４ｃのハウジング１００及び結合部材１１０に結合され得る。
【０２６６】
さらに他の実施形態による光源部９０００を含む照明装置は、ハウジング１００、ハウジングの内側上面に結合する結合部材１１０、及び結合部材１１０に脱着可能に結合する光源部９０００を含み得る。光源部９０００は、結合部材１１０なしに溝を有するハウジング１００の上面に直接結合することもできる。
【０２６７】
光源部９０００は、光源本体９１００、光源本体９１００を覆うように配置されるカバー部９２００、光源本体９１００とカバー部９２００との間に配置され、光源本体９１００の上面に配置される第１連結部材９１１３及び第２連結部材９１１５を含む連結部材、第１連結部材９１１３及び第２連結部材９１１５の間に配置される弾性体９１１８を含み得る。
【０２６８】
弾性体９１１８は、前記第１連結部材９１１３及び前記第２連結部材９１１５が遠のく方向に弾性力を提供し、これにより、連結部材が結合部材１１０に結合した時に結束力を強化させることができる。
【０２６９】
第１連結部材９１１３及び第２連結部材９１１５は、光源本体９１００の上面に配置される水平部９１１７及び水平部９１１７に垂直に延びる垂直部９１１９を含み、垂直部９１１９はカバー部９２００を貫通して結合部材１１０に結合され得る。
【０２７０】
カバー部９２００は、上面に垂直部９１１９が動けるようにする開口部９２１０を有し得る。また、カバー部９２００が光源本体９１００の側面を覆う場合、カバー部９２００の側面は、第１連結部材９１１３及び第２連結部材９１１５の水平部９１１７のための穴を有し得る。
【０２７１】
水平部９１１７は、光源本体９１００の外に突出して出ることができ、使用者は水平部９１１７を押すことによって、第１連結部材９１１３の垂直部９１１９と第２連結部材９１１５の垂直部９１１９との間の距離を調節することができる。
【０２７２】
使用者が、水平部９１１７を押して第１連結部材９１１３の垂直部９１１９と第２連結部材９１１５の垂直部９１１９との間の距離を狭めた後に、結合部材１１０の挿入溝１１２又はハウジングの溝に連結部材を挿入した後、水平部９１１７に加えられた力を除けば、弾性体９１１８の弾性力によって第１連結部材９１１３の垂直部９１１９と第２連結部材９１１５の垂直部９１１９は、結合部材１１０の挿入溝１１２又はハウジング１００の溝に結着され得る。
【０２７３】
図４ａないし図４ｃに示されたように、結合部材１１０は、中間部分にハウジング１００の内側上面に向かう方向に挿入溝１１２が形成され、挿入溝１１２の内側には結合溝１１３が形成され得る。光源部９０００の第１連結部材９１１３及び前記第２連結部材９１１５の一端は、結合溝１１３に結合され得る。
【０２７４】
第１連結部材９１１３及び第２連結部材９１１５の他端は、光源本体９１００の外に突出し、突出した部分は使用者によって押されて光源部９０００が結合部材１１０又はハウジング１００の上面に脱着される時に連結部材の間隔が調節され得るようにする。
【０２７５】
光源本体９１００の上面には、連結部材が配置されるためのガイド溝９１６０が配置され得る。連結部材は、ガイド溝９１６０に沿ってスライディング移動され得る。
【０２７６】
光源本体９１００は複数の光源本体９１００からなってもよく、例えば、図３３に示されたように、第１光源本体９１３０及び第１光源本体９１３０の側面に配置される第２光源本体９１５０を含み得る。第１連結部材９１１３は第１光源本体９１３０の上面に配置され、第２連結部材９１１５は第２光源本体９１５０の上面に配置され得る。
【０２７７】
図３５は、さらに他の実施形態による照明装置を示す分解斜視図である。図３６は、さらに他の実施形態による光源本体がハウジングに結合する過程を示す。図３７は、結合前及び結合後の連結部材の形態を詳しく示す。
【０２７８】
図３５を参照すると、さらに他の実施形態による照明装置は、ハウジング９５００、ハウジング９５００の内側上面に結合する光源本体９６００及び光源本体９６００とハウジング９５００を結合する連結部材９７００を含み得る。連結部材９７００はステンレススチールであり得る。
【０２７９】
連結部材９７００は、光源本体９６００の側面に結合する下部部材９７１０、ハウジング９５００に結合する上部部材９７２０、及び下部部材９７１０及び上部部材９７２０を連結する連結部９７３０を含み、上部部材９７２０は、一程の高さまで上部に行くほど幅が広くなり得る。
【０２８０】
上部部材９７２０の幅は上部に行くほど広がり続けて、一程の高さまでは幅が広くなってから一定の幅を保持してもよく、幅が再び狭くなってもよい。
【０２８１】
ハウジング９５００の内側上面には、一方向に延びた穴９５１０が配置され、穴９５１０の長さは、上部部材９７２０の最大幅以上であり得る。穴９５１０の長さが上部部材９７２０の長さと同じである時、連結部材９７００をハウジング９５００の上面に挿入できるためである。
【０２８２】
ハウジング９５００の穴９５１０に挿入された連結部材９７００の上部部材９７２０は、連結部９７３０に対して一定の角度を有して曲がっていてもよい。上部部材９７２０がハウジング９５００の上面に挿入された後、連結部９７３０に対して曲がって、上部に行くほど幅が広くなる上部部材９７２０の形状により、光源本体９６００はハウジング９５００の内側上面にさらに密着することになる。
【０２８３】
図３７（Ａ）でのような形状だった連結部材９７００は、挿入された後に図３７（Ｂ）に示されたように、上部部材９７２０は連結部９７３０に対して９０度の角度に曲がり得る。
【０２８４】
連結部材９７００の下部部材９７１０は、光源本体９６００の側面にネジ結合され得る。
【０２８５】
光源本体９６００の一面には発光モジュール９６１０が配置され、連結部材９７００は発光モジュール９６１０の電気的端子として機能してもよい。連結部材９７００は発光モジュール９６１０に電気的に連結され、連結部材９７００の上部部材９７２０は、外部電源と電気的に連結されて発光モジュール９６１０に外部電源を供給することができる。
【０２８６】
［放熱構造物の配置例］
図９ａに示されたように、光源本体３１０ａは、第１軸３３に沿って一面から他面まで延び得る。このような光源本体３１０ａの一面に配置される発光モジュール３２０ａは、その位置によって熱の集中度が相違し得る。
【０２８７】
図３８は、二つの光源本体がハウジングの内側上面に配置された場合の熱の集中度を示す。図３９は、中央部に放熱フィンが配置された光源本体を示す。
【０２８８】
図３８に示されたように、照明装置の使用により発生する熱は、光源本体の中央部に配置された発光モジュールに集中する。発光素子、例えば、ＬＥＤチップは、熱によって性能が劣化するので、光源本体の中央部に配置された発光モジュールは、側部に配置された発光モジュールに比べて性能が簡単に劣化する。
【０２８９】
これにより、照明装置の中央部と側部の光度に差が生じ、照明装置の光均一度が低下し得る。
【０２９０】
したがって、図３９に示された光源本体９８００の一面上に配置される発光モジュールのうち、光源本体９８００の一面の中央部に配置される第１発光モジュール９８１０及び第１発光モジュール９８１０の側面に配置される第２発光モジュール９８２０を含み、第１発光モジュール９８１０には、第２発光モジュール９８２０より光効率の良い発光モジュールを使用することができる。
【０２９１】
また、第１発光モジュール９８１０と光源本体９８００との間には放熱シートを配置し、第２発光モジュール９８２０と光源本体９８００との間には放熱シートを配置しなくてもよい。
【０２９２】
また、発光モジュールが配置されない光源本体９８００の他面のうち、第１発光モジュール９８１０が配置される一面に対応する部分の第１領域に放熱構造物９８３０が配置されるようにして、第１領域以外の面には放熱構造物９８３０が配置されないようにしてもよい。
【０２９３】
放熱構造物は、光源本体９８００でない光源本体９８００が結合する部分に対応するハウジングの外側上面に配置され得る。
【０２９４】
他の実施形態において、放熱構造物は第１発光モジュールが配置された領域に対応する光源本体の側面に配置され得る。
【０２９５】
一方、光源本体の他面又は側面の第１領域に第１放熱構造物が配置され、第１領域以外の面の少なくとも一部に第２放熱構造物が配置され得る。ただし、第１放熱構造物の配置密度は、第２放熱構造物の配置密度より高くてもよい。
【０２９６】
配置密度が高い第１放熱構造物が配置された第１領域では、配置密度が低い第２放熱構造物が配置された第１領域以外の部分よりも放熱がよくなされる。
【０２９７】
第１放熱構造物及び第２放熱構造物は、放熱フィン又は貫通孔であってもよく、第１放熱構造物の放熱フィン又は貫通孔の間隔は、第２放熱構造物の放熱フィン又は貫通孔の間隔よりも狭くてもよい。
【０２９８】
上述された構成により、熱の発生が集中する中央部の第１発光モジュールと側部の第２発光モジュールは、均一な光束値を有して光を放出することができる。
【０２９９】
以上から見るように、本発明が属する技術分野の当業者は、本発明が、その技術的思想や必須的特徴を変更せずに他の具体的な形態で実施され得るということが理解できるはずである。
【０３００】
それゆえに、以上で記述した実施形態は全ての面で例示的なものであって、限定的なものではないと理解すべきであり、本発明の範囲は、前記の詳細な説明よりは後述する特許請求の範囲によって表わされ、特許請求の範囲の意味及び範囲そしてその等価概念から導き出される全ての変更又は変形された形態が本発明の範囲に含まれると解釈されるべきである。
【符号の説明】
【０３０１】
１００，５００，８００：ハウジング
１１０：結合部材
１２０：第１連結端子
２００，６００，９００：反射体
３００：光源部
３１０ａ：第１本体
３１０ｂ：第２本体
３３０：第２連結端子
４００：電源駆動部
【図１】
2014524651.tif 000003
【図２】
2014524651.tif 000004
【図３】
2014524651.tif 000005
【図４ａ】
2014524651.tif 000006
【図４ｂ】
2014524651.tif 000007
【図４ｃ】
2014524651.tif 000008
【図５】
2014524651.tif 000009
【図６】
2014524651.tif 000010
【図７】
2014524651.tif 000011
【図８ａ】
2014524651.tif 000012
【図８ｂ】
2014524651.tif 000013
【図８ｃ】
2014524651.tif 000014
【図９ａ】
2014524651.tif 000015
【図９ｂ】
2014524651.tif 000016
【図９ｃ】
2014524651.tif 000017
【図１０】
2014524651.tif 000018
【図１１】
2014524651.tif 000019
【図１２】
2014524651.tif 000020
【図１３】
2014524651.tif 000021
【図１４】
2014524651.tif 000022
【図１５】
2014524651.tif 000023
【図１６】
2014524651.tif 000024
【図１７】
2014524651.tif 000025
【図１８】
2014524651.tif 000026
【図１９】
2014524651.tif 000027
【図２０】
2014524651.tif 000028
【図２１】
2014524651.tif 000029
【図２２ａ】
2014524651.tif 000030
【図２２ｂ】
2014524651.tif 000031
【図２２ｃ】
2014524651.tif 000032
【図２３】
2014524651.tif 000033
【図２４】
2014524651.tif 000034
【図２５】
2014524651.tif 000035
【図２６】
2014524651.tif 000036
【図２７】
2014524651.tif 000037
【図２８】
2014524651.tif 000038
【図２９ａ】
2014524651.tif 000039
【図２９ｂ】
2014524651.tif 000040
【図３０】
2014524651.tif 000041
【図３１】
2014524651.tif 000042
【図３２】
2014524651.tif 000043
【図３３】
2014524651.tif 000044
2014524651.tif 000045
【図３４】
2014524651.tif 000046
【図３５】
2014524651.tif 000047
【図３６】
2014524651.tif 000048
【図３７】
2014524651.tif 000049
【図３８】
2014524651.tif 000050
【図３９】
2014524651.tif 000051
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
穴を有するハウジングと、
前記ハウジングの下に配置され、端子を含む光源本体と、
前記光源本体に配置された発光モジュールと、
少なくとも一部分が前記ハウジングの穴に結合し、前記光源本体の端子と電気的に連結されるコネクタを含むソケット部と、
を含む、照明装置。
【請求項２】
前記ソケット部は、
前記ハウジングの上面に配置された水平部と、
前記水平部に連結され前記ハウジングの穴に配置されて前記光源本体と連結される垂直突出部と、を含み、
前記コネクタは、前記ソケット部の垂直突出部に配置される、請求項１に記載の照明装置。
【請求項３】
前記光源本体は複数であり、
前記複数の光源本体の一側面に結合するエンドキャップを含み、
前記エンドキャップは開口部を有し、
前記ソケット部の垂直突出部は、前記エンドキャップの開口部に配置された、請求項２に記載の照明装置。
【請求項４】
前記光源本体の端子は、突出した形状を有し、
前記ソケット部の垂直突出部は、前記端子が配置される収容溝を有し、
前記収容溝には、前記コネクタが配置される、請求項２又は３に記載の照明装置。
【請求項５】
前記光源本体は、前記ソケット部に対応する形状の溝を有し、
前記光源本体の端子は、前記溝の内部に配置され、
前記ソケット部は、前記ハウジングの穴に結合するフック部を含む、請求項１に記載の照明装置。
【請求項６】
前記ソケット部は、
前記光源本体の溝に配置され、前記コネクタが配置された接続部と、
前記接続部から延びて、前記光源本体の溝に配置され前記光源本体を支持する係止部と、
を含む、請求項５に記載の照明装置。
【請求項７】
前記ハウジング上に配置され、前記光源本体を固定させるクリップ部をさらに含む、請求項１ないし６のいずれか一項に記載の照明装置。
【請求項８】
前記光源モジュールは、
前記光源本体に配置される第１発光モジュールと、
前記第１発光モジュールに隣接して配置される第２発光モジュールと、を含み、
前記第１発光モジュールの光効率は、前記第２発光モジュールの光効率より高い、請求項１ないし７のいずれか一項に記載の照明装置。
【請求項９】
前記光源本体は、放熱構造物をさらに含み、
前記放熱構造物は、前記第１発光モジュール上に配置された、請求項８に記載の照明装置。
【請求項１０】
前記光源本体は、第１放熱構造物と第２放熱構造物とを含み、
前記第１放熱構造物は前記第１発光モジュール上に配置されて、前記第２放熱構造物は前記第２発光モジュール上に配置され、
前記第１放熱構造物の配置密度は、前記第２放熱構造物の配置密度より高い、請求項８に記載の照明装置。
【請求項１１】
前記光源本体を前記ハウジングに連結するための連結手段をさらに含み、
前記光源本体は、下部本体と前記下部本体の上に配置される上部本体を含み、
前記連結手段は結合体であり、
前記結合体は、水平部及び前記水平部の中心軸に配置されたネジ形状の垂直部を含み、
前記下部本体は、前記結合体の水平部が配置される水平溝を有し、
前記上部本体は、前記結合体の垂直部が貫通する貫通孔を有し、
前記結合体の垂直部は、前記ハウジングにネジ結合された、請求項１ないし１０のいずれか一項に記載の照明装置。
【請求項１２】
前記結合体の水平部は円形であり、前記水平部の円周には鋸歯が配置され、
前記水平部の一部は、前記光源本体の外部に突出する、請求項１１に記載の照明装置。
【請求項１３】
前記光源本体を前記ハウジングに連結するための連結手段をさらに含み、
前記光源本体は、上面に配置された挿入部材を含み、
前記連結手段は固定箱であり、
前記固定箱は、前記ハウジングの上面に配置されて、内部に弾性体と支持部を含み、
前記挿入部材は、前記ハウジングを通過して前記固定箱の弾性体に接触し、
前記支持部は前記挿入部材を支持する、請求項１ないし１０のいずれか一項に記載の照明装置。
【請求項１４】
前記挿入部材は、
前記光源本体に結合する結合部と、
前記固定箱の内部に挿入される接触部と、 
前記結合部と前記接触部を連結する連結部と、を含み、
前記接触部は、上部に行くほど幅が狭くなり、
前記連結部の幅は、前記接触部の最下部の幅より狭い、請求項１３に記載の照明装置。
【請求項１５】
前記弾性体は、互いに向かい合って互いに近づく方向に弾性力を有する一対の弾性体であり、
前記支持部は、前記接触部の下部に配置されて前記挿入部材を固定させる、請求項１３又は１４に記載の照明装置。
【請求項１６】
前記光源本体を前記ハウジングに連結するための連結手段をさらに含み、
前記光源本体は、両側面に係止突起を有し、
前記連結手段はロック装置であり、
前記ロック装置は、
第１ヒンジ部及び第２ヒンジ部を含む回転部材と、
前記第１ヒンジ部に結合して前記ハウジングに結合する固定部材と、
一方は前記第２ヒンジ部に連結して他方は前記光源本体に結合する結着部材と、を含み、
前記ロック装置は、前記光源本体の両側面に配置される、請求項１ないし１０のいずれか一項に記載の照明装置。
【請求項１７】
前記回転部材は、前記ハウジングに結合するフック部を含み、
前記ハウジングは、前記フック部に対応する溝を有し、
前記結着部材は前記係止突起に結合し、前記フック部が前記溝に挿入される、請求項１６に記載の照明装置。
【請求項１８】
前記光源本体を前記ハウジングに連結するための連結手段をさらに含み、
前記連結手段はロック装置であり、
前記ロック装置は、
前記光源本体の側面に結合する第１結合部と、
前記ハウジングと結合する第２結合部と、
前記第１結合部と前記第２結合部とを連結する連結部と、を含み、
前記ロック装置の第２結合部は水平穴を有し、
前記ハウジングは開口部を有し、
前記ハウジングは、前記開口部に配置された突出部を有し、
前記突出部は水平穴に対応する形状を有して、前記水平穴に挿入され、
前記ロック装置は、前記光源本体の両側に配置される、請求項１ないし１０のいずれか一項に記載の照明装置。
【請求項１９】
前記連結部は、前記第２結合部が前記ハウジングの上面に垂直になるように弾性力を提供する、請求項１８に記載の照明装置。
【請求項２０】
前記光源本体を前記ハウジングに連結するための連結手段をさらに含み、
前記連結手段は連結部材であり、
前記連結部材は、
前記光源本体の側面に結合する下部部材と、
前記ハウジングに結合する上部部材と、
前記下部部材及び前記上部部材を連結する連結部と、を含み、
前記ハウジングは、一方向に延びた延長穴を有し、
前記連結部材の上部部材は前記延長穴を貫通し、前記連結部に対して一定の角度に曲がる、請求項１ないし１０のいずれか一項に記載の照明装置。
【請求項２１】
前記連結部材の上部部材は、上部に行くほど幅が広くなるか、幅が広くなってから一定の幅を保持するか、あるいは、幅が再び狭くなる、請求項２０に記載の照明装置。
【請求項２２】
前記連結部材は、前記発光モジュールに電気的に連結され、
前記連結部材の上部部材は、外部電源と電気的に連結されて前記発光モジュールに外部電源を供給する、請求項２０に記載の照明装置。
【国際調査報告】
2014524651.tif 000052
2014524651.tif 000053